【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
サーバコンピュータと１または複数のクライアントコンピュータとを有し、前記クライアントコンピュータ間でのメッセージ交換を可能にするコミュニケーション機能が搭載された統合情報管理システムにおける当該サーバコンピュータを、
前記クライアントコンピュータ間の情報の共有の場として生成される仮想的な作業場を共有情報単位に管理する作業場管理手段と、
作業場へ書き込むと共に他の作業場にも書き込む旨が指定されたメッセージに基づいて展開メッセージを作成する展開メッセージ作成手段と、
ユーザによる入力指定に従い前記展開メッセージが書き込まれる作業場を親作業場、前記展開メッセージの書込先とする他の作業場を子作業場とした場合、親作業場とその親作業場から派生した各子作業場の階層関係を定義した展開構造情報を作成する展開構造情報管理手段と、
前記展開構造情報管理手段により作成された展開構造情報を記憶する展開構造情報記憶手段と、
して機能させることを特徴とするメッセージ交換管理プログラム。
【請求項２】
請求項１記載のメッセージ交換管理プログラムにおいて、
当該サーバコンピュータを、親作業場に書き込まれた展開メッセージを展開構造情報に基づき該当する子作業場へ自動的に書き込む展開メッセージ管理手段として機能させることを特徴とするメッセージ交換管理プログラム。
【請求項３】
請求項１記載のメッセージ交換管理プログラムにおいて、
当該サーバコンピュータを、親作業場及び各子作業場に展開された各展開メッセージ及び各展開メッセージに関連させて書き込まれるメッセージの書込状況を展開ログ情報として収集する書込状況収集手段として機能させることを特徴とするメッセージ交換管理プログラム。
【請求項４】
請求項３記載のメッセージ交換管理プログラムにおいて、
当該サーバコンピュータを、展開ログ情報及び展開構造情報に基づいて展開メッセージの展開状況を可視化するための可視化情報を生成する可視化情報生成処理手段として機能させることを特徴とするメッセージ交換管理プログラム。
【請求項５】
請求項２記載のメッセージ交換管理プログラムにおいて、
前記展開メッセージ管理手段は、展開メッセージに関連したメッセージが作業場に書き込まれたときに、その書き込まれたメッセージを当該作業場の展開構造の下位層の子作業場に自動的に書き込むことを特徴とするメッセージ交換管理プログラム。
【請求項６】
請求項５記載のメッセージ交換管理プログラムにおいて、
前記展開メッセージ管理手段は、展開メッセージの作成の際に自動書込期限が設定されている場合、その自動書込期限内に書き込まれたメッセージのみを当該作業場の下位層の子作業場に自動的に書き込むことを特徴とするメッセージ交換管理プログラム。
【請求項７】
請求項４記載のメッセージ交換管理プログラムにおいて、
前記可視化情報生成処理手段は、展開構造情報を可視化するための情報を生成することを特徴とするメッセージ交換管理プログラム。
【請求項８】
請求項４記載のメッセージ交換管理プログラムにおいて、
前記可視化情報生成処理手段は、展開メッセージ及び各展開メッセージに関連させて書き込まれるメッセージの書込数を作業場毎に集計して可視化情報を生成することを特徴とするメッセージ交換管理プログラム。
【請求項９】
請求項４記載のメッセージ交換管理プログラムにおいて、
前記可視化情報生成処理手段は、展開ログ情報に記録されている各メッセージの書込時刻に基づいて展開メッセージ及び各展開メッセージに関連させて書き込まれるメッセージの書込数を一定期間毎に集計して可視化情報を生成することを特徴とするメッセージ交換管理プログラム。
【請求項１０】
請求項１記載のメッセージ交換管理プログラムにおいて、
当該サーバコンピュータを、入力データに基づき展開メッセージと、当該展開メッセージが書き込まれている作業場とを関連付けた展開メッセージの管理情報を検索することによって展開メッセージの展開状況を取得する検索手段として機能させることを特徴とするメッセージ交換管理プログラム。
【請求項１１】
クライアントコンピュータ間でのメッセージ交換を可能にするコミュニケーション機能が搭載された統合情報管理システムにおいて、前記クライアントコンピュータ間で交換されるメッセージを管理するメッセージ交換管理装置において、
前記クライアントコンピュータ間の情報の共有の場として生成される仮想的な作業場を共有情報毎に管理する作業場管理手段と、
作業場へ書き込むと共に他の作業場にも書き込む旨が指定されたメッセージ展開メッセージを作成する展開メッセージ作成手段と、
ユーザによる入力指定に従い前記展開メッセージが書き込まれる作業場を親作業場、前記展開メッセージの書込先とする他の作業場を子作業場とした場合、親作業場とその親作業場から派生した各子作業場の階層関係を定義した展開構造情報を作成する展開構造情報管理手段と、
前記展開構造情報管理手段により作成された展開構造情報を記憶する展開構造情報記憶手段と、
を有することを特徴とするメッセージ交換管理装置。
【手続補正２】
【補正対象書類名】明細書
【補正対象項目名】発明の名称
【補正方法】変更
【補正の内容】
【発明の名称】メッセージ交換管理プログラム及びメッセージ交換管理装置
【手続補正３】
【補正対象書類名】明細書
【補正対象項目名】０００９
【補正方法】変更
【補正の内容】
【０００９】
本発明は、以上のような課題を解決するためになされたものであり、その目的は、情報の共有の場として生成される仮想的な作業場に書き込まれるメッセージの効果的な取扱方法を提供するメッセージ交換管理プログラム及びメッセージ交換管理装置を提供することにある。
【手続補正４】
【補正対象書類名】明細書
【補正対象項目名】００１０
【補正方法】変更
【補正の内容】
【００１０】
以上のような目的を達成するために、本発明に係るメッセージ交換管理プログラムは、サーバコンピュータと１または複数のクライアントコンピュータとを有し、前記クライアントコンピュータ間でのメッセージ交換を可能にするコミュニケーション機能が搭載された統合情報管理システムにおける当該サーバコンピュータを、前記クライアントコンピュータ間の情報の共有の場として生成される仮想的な作業場を共有情報単位に管理する作業場管理手段と、作業場へ書き込むと共に他の作業場にも書き込む旨が指定されたメッセージに基づいて展開メッセージを作成する展開メッセージ作成手段と、ユーザによる入力指定に従い前記展開メッセージが書き込まれる作業場を親作業場、前記展開メッセージの書込先とする他の作業場を子作業場とした場合、親作業場とその親作業場から派生した各子作業場の階層関係を定義した展開構造情報を作成する展開構造情報管理手段と、前記展開構造情報管理手段により作成された展開構造情報を記憶する展開構造情報記憶手段として機能させることを特徴とする。
【手続補正５】
【補正対象書類名】明細書
【補正対象項目名】００２０
【補正方法】変更
【補正の内容】
【００２０】
本発明に係るメッセージ交換管理装置は、クライアントコンピュータ間でのメッセージ交換を可能にするコミュニケーション機能が搭載された統合情報管理システムにおいて、前記クライアントコンピュータ間で交換されるメッセージを管理するメッセージ交換管理装置において、前記クライアントコンピュータ間の情報の共有の場として生成される仮想的な作業場を共有情報毎に管理する作業場管理手段と、作業場へ書き込むと共に他の作業場にも書き込む旨が指定されたメッセージ展開メッセージを作成する展開メッセージ作成手段と、ユーザによる入力指定に従い前記展開メッセージが書き込まれる作業場を親作業場、前記展開メッセージの書込先とする他の作業場を子作業場とした場合、親作業場とその親作業場から派生した各子作業場の階層関係を定義した展開構造情報を作成する展開構造情報管理手段と、前記展開構造情報管理手段により作成された展開構造情報を記憶する展開構造情報記憶手段とを有することを特徴とする。
【手続補正６】
【補正対象書類名】明細書
【補正対象項目名】００２１
【補正方法】削除
【補正の内容】